(57)【要約】【課題】ＨＤＤ(Hard Disk Drive)を備えたオーディオ再生装置において、電池電圧が低下した場合でも、ユーザ所望の記録音声情報をより長く再生すること。【解決手段】ＲＡＭ２４内の低電圧データメモリに設定記憶された低電圧レベルまで、電源部２７における電池電源の電圧レベルが低下した場合には、設定曲目データメモリに対しユーザ任意で設定記憶された電圧低下時の再生曲目データに従って各対応する楽曲データがＨＤＤ２５から読み出されてＲＡＭ２４内の再生曲データメモリに記憶される。そして当該ＨＤＤ２５のこの後の駆動が停止されると共に、電源電圧がオーディオ再生駆動に要する最低電圧レベル以下に低下するまで前記再生曲データメモリに記憶されたユーザ任意設定の再生曲目に従った各楽曲データが繰り返し読み出され音声処理部２６からイヤホン１５によって再生出力される。【選択図】      図２
2006120267.tif 000002
【特許請求の範囲】
【請求項１】
内蔵されたハードディスクに記録されたオーディオデータを読み出して再生する電池駆動によるオーディオ再生装置であって、
ハードディスクから読み出されたオーディオデータを記憶する半導体メモリと、
この半導体メモリに記憶されたオーディオデータを読み出して再生するオーディオ再生手段と、
電池電圧が予め設定された電圧レベルまで低下した場合に、前記ハードディスクの動作を停止し、前記半導体メモリに記憶されているオーディオデータを読み出して再生するように制御する電圧低下時再生制御手段と、
を備えたことを特徴とするオーディオ再生装置。
【請求項２】
さらに、
ユーザ操作に応じて該ユーザ任意のオーディオデータの曲目を設定する曲目設定手段を備え、
前記電圧低下時再生制御手段は、
電池電圧が予め設定された電圧レベルまで低下した場合に、前記曲目設定手段により設定されたユーザ任意の曲目に対応するオーディオデータを前記ハードディスクから読み出して前記半導体メモリに記憶させる電圧低下時データ記憶制御手段を有し、
この電圧低下時データ記憶制御手段による制御の後、前記ハードディスクの動作を停止し、前記半導体メモリに記憶されたユーザ任意の曲目に対応するオーディオデータを読み出して再生するように制御することを特徴とする請求項１に記載のオーディオ再生装置。
【請求項３】
さらに、
ユーザ操作に応じて前記電池電圧の低下電圧レベルを設定する低電圧レベル設定手段を備え、
前記電池電圧の予め設定された電圧レベルは、前記低電圧レベル設定手段によって予め設定された電圧レベルであることを特徴とする請求項１または請求項２に記載のオーディオ再生装置。
【請求項４】
オーディオデータを記録するハードディスクを備えた装置本体と、この装置本体と無線通信するヘッドホンとを有し、前記装置本体のハードディスクに記録されたオーディオデータを無線通信により前記ヘッドホンへ転送して再生する電池駆動によるオーディオ再生装置であって、
前記装置本体は、
ハードディスクから読み出されたオーディオデータを無線通信によりヘッドホンへ送信するデータ送信手段と、
電池電圧が予め設定された電圧レベルまで低下した場合には、通信遮断の通知信号をヘッドホンへ送信した後に無線通信を停止する電圧低下時制御手段とを備え、
前記ヘッドホンは、
装置本体のデータ送信手段により送信されたオーディオデータを無線通信により受信するデータ受信手段と、
このデータ受信手段により受信されたオーディオデータを記憶する半導体メモリと、
この半導体メモリに記憶されたオーディオデータを読み出して再生するオーディオ再生手段と、
前記装置本体の電圧低下時制御手段により送信された通信遮断の通知信号が無線通信により受信された場合には、当該無線通信を停止し、前記半導体メモリに記憶されているオーディオデータのみを読み出して再生するように制御する本体電圧低下時再生制御手段とを備えた
ことを特徴とするオーディオ再生装置。
【請求項５】
前記装置本体は、さらに、
ユーザ操作に応じて該ユーザ任意のオーディオデータの曲目を設定する曲目設定手段を備え、
前記電圧低下時制御手段は、
電池電圧が予め設定された電圧レベルまで低下した場合に、前記曲目設定手段により設定されたユーザ任意の曲目に対応するオーディオデータを前記ハードディスクから読み出して前記データ送信手段によりヘッドホンへ送信させた後に、通信遮断の通知信号を同ヘッドホンへ送信して無線通信を停止する、
ことを特徴とする請求項４に記載のオーディオ再生装置。
【請求項６】
オーディオデータを記録するハードディスクを備えた装置本体と、この装置本体と無線通信するヘッドホンとを有し、前記装置本体のハードディスクに記録されたオーディオデータを無線通信により前記ヘッドホンへ転送して再生する電池駆動によるオーディオ再生装置であって、
前記装置本体は、
ハードディスクから読み出されたオーディオデータを無線通信によりヘッドホンへ送信するデータ送信手段を備え、
前記ヘッドホンは、
装置本体のデータ送信手段により送信されたオーディオデータを無線通信により受信するデータ受信手段と、
このデータ受信手段により受信されたオーディオデータを記憶する半導体メモリと、
この半導体メモリに記憶されたオーディオデータを読み出して再生するオーディオ再生手段と、
電池電圧が予め設定された電圧レベルまで低下した場合には、前記装置本体との無線通信を停止し、前記半導体メモリに記憶されているオーディオデータのみを読み出して再生するように制御する電圧低下時再生制御手段とを備えた
ことを特徴とするオーディオ再生装置。
【請求項７】
オーディオデータを記録するハードディスクと、このハードディスクから読み出されたオーディオデータを記憶する半導体メモリと、この半導体メモリに記憶されたオーディオデータを読み出して再生するオーディオ再生手段とを有する電池駆動によるオーディオ再生装置のコンピュータを制御するためのオーディオ再生制御プログラムであって、
前記コンピュータを、
前記電池の電圧が予め設定された電圧レベルまで低下した場合には、前記ハードディスクの動作を停止させ、前記半導体メモリに記憶されているオーディオデータのみを読み出して再生するように制御する電圧低下時再生制御手段として機能させるためのコンピュータ読み込み可能なオーディオ再生制御プログラム。
【発明の詳細な説明】
【技術分野】
【０００１】
本発明は、ＨＤＤ(Hard Disk Drive)を備えたオーディオ再生装置およびその再生制御プログラムに関する。
【背景技術】
【０００２】
従来、携帯型のオーディオ再生装置として、カセットテープに録音した音声信号を再生する装置、ＣＤ(Compact Disk)やＭＤ(Mini Disk)に記録した音声信号を再生する装置が広く実用されてきた。
【０００３】
しかし、これら従来のオーディオ再生装置で使用する音声信号の記録媒体であるカセットテープ、ＣＤ、ＭＤなどは、ある程度の音質を保つためにその記録容量が時間にして１〜２時間前後と短く、例えば記録できる楽曲数が１０〜２０曲前後と限られる。このため、長時間に渡り様々な楽曲を再生したい場合には、所望の楽曲を記録した前記カセットテープ、ＣＤ、ＭＤなどの記録媒体を本オーディオ再生装置と共に多数持ち歩き、交換しながら再生する必要がある。
【０００４】
そこで、近年、記録容量が飛躍的に高い小型のハードディスク（ＨＤＤ）を搭載したオーディオ再生装置が実用化されている。このＨＤＤ搭載のオーディオ再生装置では、例えば記録できる楽曲数が何千曲と膨大な曲数を記録できるが、この種の小型携帯型のオーディオ再生装置の電源は充電池や乾電池によるバッテリ電源に限られるため、ＨＤＤを駆動することによる電力消費に伴い電源電圧の低下が著しい問題がある。従って、この電源電圧が低下した状態で如何にして実用性を保つのか、新たな技術的工夫が求められている。
【０００５】
一方、電池電圧低下時の技術的工夫としては、ＨＤＤ搭載のオーディオ再生装置ではないが、電池残量が少ないときには付加機能の動作を停止することで消費電力を削減し、通話時間または待ち受け時間の延長を図るようにした携帯電話などの通信装置が考えられている（例えば、特許文献１参照。）。
【特許文献１】特開２０００−２５３１４２号公報
【発明の開示】
【発明が解決しようとする課題】
【０００６】
前記従来のＨＤＤを搭載した電池駆動によるオーディオ再生装置において、電池電圧低下時の対処機能としては、例えば電圧低下の警告表示を行って電池交換あるいは充電の時期が近いことを報知するなどの警告機能に限られており、如何にして装置本来のオーディオ再生機能を維持するか、よりユーザフレンドリーな技術的工夫が求められている。
【０００７】
本発明は、このような課題に鑑みなされたもので、電池電圧が低下した場合でも、ユーザ所望の記録音声情報をより長く再生することが可能になるＨＤＤを備えたオーディオ再生装置およびその再生制御プログラムを提供することを目的とする。
【課題を解決するための手段】
【０００８】
本発明の請求項１に記載のオーディオ再生装置は、ＨＤＤに記録されたオーディオデータを読み出して再生する電池駆動によるオーディオ再生装置であって、ＨＤＤから読み出されたオーディオデータを記憶する半導体メモリと、この半導体メモリに記憶されたオーディオデータを読み出して再生するオーディオ再生手段と、電池電圧が予め設定された電圧レベルまで低下した場合に、前記ＨＤＤの動作を停止し、前記半導体メモリに記憶されているオーディオデータを読み出して再生するように制御する電圧低下時再生制御手段とを備えたことを特徴とする。
【０００９】
本発明の請求項２に記載のオーディオ再生装置は、前記請求項１に記載のオーディオ再生装置において、さらに、ユーザ操作に応じて該ユーザ任意のオーディオデータの曲目を設定する曲目設定手段を備え、前記電圧低下時再生制御手段は、電池電圧が予め設定された電圧レベルまで低下した場合に、前記曲目設定手段により設定されたユーザ任意の曲目に対応するオーディオデータを前記ＨＤＤから読み出して前記半導体メモリに記憶させる電圧低下時データ記憶制御手段を有し、この電圧低下時データ記憶制御手段による制御の後、前記ＨＤＤの動作を停止し、前記半導体メモリに記憶されたユーザ任意の曲目に対応するオーディオデータを読み出して再生するように制御することを特徴とする。
【００１０】
本発明の請求項３に記載のオーディオ再生装置は、前記請求項１または請求項２に記載のオーディオ再生装置において、さらに、ユーザ操作に応じて前記電池電圧の低下電圧レベルを設定する低電圧レベル設定手段を備え、前記電池電圧の予め設定された電圧レベルは、前記低電圧レベル設定手段によって予め設定された電圧レベルであることを特徴とする。
【００１１】
本発明の請求項４に記載のオーディオ再生装置は、オーディオデータを記録するＨＤＤを備えた装置本体と、この装置本体と無線通信するヘッドホンとを有し、前記装置本体のＨＤＤに記録されたオーディオデータを無線通信により前記ヘッドホンへ転送して再生する電池駆動によるオーディオ再生装置であって、
前記装置本体は、ＨＤＤから読み出されたオーディオデータを無線通信によりヘッドホンへ送信するデータ送信手段と、電池電圧が予め設定された電圧レベルまで低下した場合には、通信遮断の通知信号をヘッドホンへ送信した後に無線通信を停止する電圧低下時制御手段とを備え、
前記ヘッドホンは、装置本体のデータ送信手段により送信されたオーディオデータを無線通信により受信するデータ受信手段と、このデータ受信手段により受信されたオーディオデータを記憶する半導体メモリと、この半導体メモリに記憶されたオーディオデータを読み出して再生するオーディオ再生手段と、前記装置本体の電圧低下時制御手段により送信された通信遮断の通知信号が無線通信により受信された場合には、当該無線通信を停止し、前記半導体メモリに記憶されているオーディオデータのみを読み出して再生するように制御する本体電圧低下時再生制御手段とを備えたことを特徴とする。
【００１２】
本発明の請求項５に記載のオーディオ再生装置は、前記請求項４に記載のオーディオ再生装置において、前記装置本体は、さらに、ユーザ操作に応じて該ユーザ任意のオーディオデータの曲目を設定する曲目設定手段を備え、前記電圧低下時制御手段は、電池電圧が予め設定された電圧レベルまで低下した場合に、前記曲目設定手段により設定されたユーザ任意の曲目に対応するオーディオデータを前記ＨＤＤから読み出して前記データ送信手段によりヘッドホンへ送信させた後に、通信遮断の通知信号を同ヘッドホンへ送信して無線通信を停止することを特徴とする。
【００１３】
本発明の請求項６に記載のオーディオ再生装置は、オーディオデータを記録するＨＤＤを備えた装置本体と、この装置本体と無線通信するヘッドホンとを有し、前記装置本体のＨＤＤに記録されたオーディオデータを無線通信により前記ヘッドホンへ転送して再生する電池駆動によるオーディオ再生装置であって、
前記装置本体は、ＨＤＤから読み出されたオーディオデータを無線通信によりヘッドホンへ送信するデータ送信手段を備え、
前記ヘッドホンは、装置本体のデータ送信手段により送信されたオーディオデータを無線通信により受信するデータ受信手段と、このデータ受信手段により受信されたオーディオデータを記憶する半導体メモリと、この半導体メモリに記憶されたオーディオデータを読み出して再生するオーディオ再生手段と、電池電圧が予め設定された電圧レベルまで低下した場合には、前記装置本体との無線通信を停止し、前記半導体メモリに記憶されているオーディオデータのみを読み出して再生するように制御する電圧低下時再生制御手段とを備えたことを特徴とする。
【発明の効果】
【００１４】
本発明の請求項１（請求項７）に記載のオーディオ再生装置（オーディオ再生制御プログラム）によれば、ＨＤＤから読み出されたオーディオデータが半導体メモリに対し例えば当該メモリ容量に応じて順次記憶されると共に、この半導体メモリに記憶されたオーディオデータが順次読み出されて再生される状態において、この再生装置を駆動する電池電圧が例えば電池交換時期直前の予め設定された電圧レベルまで低下した場合には、ＨＤＤの動作が停止され、半導体メモリに記憶されているオーディオデータのみが読み出されて再生されるので、電池残量低下時にはＨＤＤ動作による電力消費を削減して電池寿命を延ばした上、ユーザは当該ユーザ自身による選曲などに応じて半導体メモリに既に記憶されているオーディオデータを繰り返し聞くことができるようになる。
【００１５】
本発明の請求項２に記載のオーディオ再生装置によれば、前記請求項１に記載のオーディオ再生装置にあって、電池電圧が予め設定された電圧レベルまで低下した場合には、曲目設定手段により設定されたユーザ任意の曲目に対応するオーディオデータがＨＤＤから読み出されて半導体メモリに記憶された後、ＨＤＤの動作が停止され、半導体メモリに記憶されたユーザ任意の曲目に対応するオーディオデータが読み出されて再生されるので、電池残量低下時にはＨＤＤ動作による電力消費を削減して電池寿命を延ばした上、ユーザは当該電圧低下時のために予めユーザ自身で設定した曲目のオーディオデータを繰り返し聞くことができるようになる。
【００１６】
本発明の請求項３に記載のオーディオ再生装置によれば、前記請求項１または請求項２に記載のオーディオ再生装置にあって、電圧低下時の再生制御を開始させるための低下電圧レベルをユーザ任意の電圧レベルに設定でき、例えば電池交換時期前のどの位の期間において電圧低下時の再生制御を行うのか任意に設定できるようになる。
【００１７】
本発明の請求項４に記載のオーディオ再生装置によれば、装置本体のＨＤＤから読み出されたオーディオデータがワイヤレスヘッドホンの半導体メモリに対し例えば当該メモリ容量に応じて順次送信転送されて記憶されると共に、このヘッドホンの半導体メモリに記憶されたオーディオデータが順次読み出されて再生される状態において、装置本体の電池電圧が例えば通信不能になる直前の設定電圧レベルまで低下した場合には、ヘッドホンとの通信動作が停止された後、該ヘッドホン側では半導体メモリに記憶されているオーディオデータのみの再生が繰り返されるので、装置本体電池残量低下による通信不能時等には通信動作による電力消費を削減してヘッドホン側の電池寿命を延ばした上、ユーザは当該ユーザ自身による選曲などに応じて半導体メモリに既に記憶されているオーディオデータを繰り返し聞くことができるようになる。
【００１８】
本発明の請求項５に記載のオーディオ再生装置によれば、前記請求項４に記載のオーディオ再生装置にあって、装置本体の電池電圧が設定電圧レベルまで低下した場合には、曲目設定手段により設定されたユーザ任意の曲目に対応するオーディオデータがＨＤＤから読み出されてワイヤレスヘッドホンの半導体メモリに送信転送記憶された後、通信動作が停止され、ヘッドホン側ではその半導体メモリに記憶されたユーザ任意の曲目に対応するオーディオデータが読み出されて再生されるので、装置本体電池残量低下による通信不能時等には通信動作による電力消費を削減してヘッドホン側の電池寿命を延ばした上、ユーザは当該電圧低下時のために予めユーザ自身で設定した曲目のオーディオデータを繰り返し聞くことができるようになる。
【００１９】
本発明の請求項６に記載のオーディオ再生装置によれば、装置本体のＨＤＤから読み出されたオーディオデータがワイヤレスヘッドホンの半導体メモリに対し例えば当該メモリ容量に応じて順次送信転送されて記憶されると共に、このヘッドホンの半導体メモリに記憶されたオーディオデータが順次読み出されて再生される状態において、ヘッドホンの電池電圧が例えば通信不能になる直前の設定電圧レベルまで低下した場合には、装置本体との通信動作が停止された後、半導体メモリに記憶されているオーディオデータのみの再生が繰り返されるので、ヘッドホンの電池残量低下による通信不能時等には通信動作による電力消費を直ちに削減してその電池寿命を延ばした上、ユーザは当該ユーザ自身による選曲などに応じて半導体メモリに既に記憶されているオーディオデータを繰り返し聞くことができるようになる。
【００２０】
よって本発明によれば、電池電圧が低下した場合でも、ユーザ所望の記録音声情報をより長く再生することが可能になるＨＤＤを備えたオーディオ再生装置およびその再生制御プログラムを提供できる。
【発明を実施するための最良の形態】
【００２１】
以下図面により本発明の実施の形態について説明する。
【００２２】
（第１実施形態）
図１は、本発明の第１実施形態に係るハードディスク（以下ＨＤＤと記す）を搭載した携帯オーディオ再生装置１０の外観構成を示す正面図である。
【００２３】
このＨＤＤを搭載した携帯オーディオ再生装置１０は、ユーザが片手で十分把持できる大きさの装置本体１１を有し、この装置本体１１の正面には、ＬＣＤ(Liquid Crystal Display)からなる表示部１２が設けられ、この表示部１２の表示画面には透明のタッチパネル１３が重ねられる。
【００２４】
また、装置本体１１の上端部には電源ボタン１４、左側面にはボリュームスイッチ１６、下端部には外部ＩＦ部１７が設けられ、さらに右側面にはイヤホン１５が延長接続される。
【００２５】
図２は、前記携帯オーディオ再生装置１０の電子回路の構成を示すブロック図である。
【００２６】
この携帯オーディオ再生装置１０の電子回路には、コンピュータである制御部（ＣＰＵ）２１が備えられる。
【００２７】
この制御部（ＣＰＵ）２１は、ＲＯＭ２２に予め記憶された装置制御プログラム、あるいは外部のパーソナルコンピュータ（図示せず）から外部ＩＦ部１７を介して読み込まれＲＡＭ２４に記憶された装置制御プログラムに従って回路各部の動作を制御するもので、この装置制御プログラムは入力部２３である電源ボタン１４の操作信号やボリュームスイッチ１６の操作信号、あるいはタッチパネル１３におけるタッチ操作の位置検出信号、あるいは外部ＩＦ部１７を介して入力される外部入力信号に応じて起動される。
【００２８】
制御部（ＣＰＵ）２１には、前記表示部１２、タッチパネル１３、外部ＩＦ部１７、ＲＯＭ２２、入力部２３、ＲＡＭ２４が接続されて制御される他、ＨＤＤ２５、音声処理部２６が接続されて制御され、これらの各回路部には充電池や乾電池による電池電源部２７から電源電圧が供給されて駆動される。
【００２９】
ＨＤＤ２５には、例えば外部のパーソナルコンピュータ（図示せず）から外部ＩＦ部１７を介して読み込まれた楽曲などのデジタルオーディオデータが記録されるもので、このＨＤＤ２５に記録されたオーディオデータはタッチパネル１３の操作に伴う楽曲内容の選択に応じて一旦ＲＡＭ２４に転送されて読み出され、このＲＡＭ２４に読み出されて記憶されたオーディオデータが順次音声処理部２６によってアナログオーディオ信号に変換されイヤホン１５によって音声出力される。
【００３０】
図３は、前記携帯オーディオ再生装置１０のＲＡＭ２４に記憶されるデータの内容を示す図である。
【００３１】
ＲＡＭ２４には、再生方法データメモリ２４ａ、設定曲目データメモリ２４ｂ、低電圧データメモリ２４ｃ、再生状態データメモリ２４ｄ、ＨＤＤ保存曲目データメモリ２４ｅ、再生曲データメモリ２４ｆなどが確保される。
【００３２】
再生方法データメモリ２４ａには、ＨＤＤ２５に記録されている各楽曲データを例えば指定のアーティストやアルバムに応じて順番選曲して再生、ランダム選曲して再生、あるいは指定の曲目のみを選択して再生するなど、幾つかの再生方法のデータが選択設定されて記憶される。
【００３３】
設定曲目データメモリ２４ｂには、電圧低下時の制御処理（図９参照）に伴い再生すべき曲目のデータがＨＤＤ２５に記録された全楽曲データの曲目リストの中から選択設定されて記憶される。
【００３４】
低電圧データメモリ２４ｃには、前記電圧低下時の制御処理（図９参照）を起動させるための低電圧の電圧レベル（電圧残量）データがユーザ任意の電圧レベルに設定されて記憶される。
【００３５】
再生状態データメモリ２４ｄには、本オーディオ再生装置１０における現在の再生状態がその再生中の曲番、曲名、再生時間などを示すデータとして記憶される。
【００３６】
ＨＤＤ保存曲目データメモリ２４ｅには、前記ＨＤＤ２５に記録された全ての曲目データがそれぞれそのアーティスト名、アルバム名、再生時間などの情報と共に記憶される。
【００３７】
再生曲データメモリ２４ｆには、前記再生方法データメモリ２４ａに記憶された再生方法のデータや前記設定曲目データメモリ２４ｂに記憶された電圧低下時に再生すべき曲目データに従ってＨＤＤ２５から読み出された再生対象である各楽曲のデジタルオーディオデータが記憶される。
【００３８】
次に、前記構成による第１実施形態の携帯オーディオ再生装置１０の動作について説明する。
【００３９】
図４は、前記携帯オーディオ再生装置１０の音楽再生処理を示すフローチャートである。
【００４０】
図５は、前記携帯オーディオ再生装置１０の音楽再生処理に伴いタッチパネル表示部１３に表示される操作メニュー表示画面Ｇ１を示す図である。
【００４１】
入力部２３における電源ボタン１４の操作に応じて電源がＯＮにされると、ＲＡＭ２４内の再生状態データメモリ２４ｄに記憶されている前回の電源ＯＦＦ時において再生されていた曲番、曲名、再生時間などを示すデータが読み出され（ステップＳ１）、これに応じた楽曲データがその再生時間から再生曲データメモリ２４ｆに記憶されている各楽曲データの中から読み出され、音声処理部２６によってイヤホン１５から再生出力される（ステップＳ２）。
【００４２】
ここで、何も操作が行われない場合には、前記ＲＡＭ２４内の再生曲データメモリ２４ｆから読み出されて再生されている楽曲データの再生処理が順次継続される（ステップＳ３→Ｓ４→Ｓ２）。なお、電源がＯＦＦになると当該音楽再生処理は停止される（ステップＳ４→ＥＮＤ）。
【００４３】
一方、図５に示すように、表示部１２のタッチパネル１３に対するユーザＨによるタッチ操作が検出されると、このタッチパネル１３により検出されたユーザＨのタッチ操作位置に対応させて再生制御用の制御キーＫ１および「機能」キーＫ２を表示させた操作メニュー画面Ｇ１が表示される（ステップＳ３→Ｓ５）。
【００４４】
この操作メニュー画面Ｇ１にあって、制御キーＫ１は再生すべき楽曲データの送り，戻し，再生，停止の指示などを行うもので、この制御キーＫ１がユーザＨにタッチ操作されると各キー操作に応じて現在再生中の楽曲データの送り，戻し，再生，停止などの処理が行われる（ステップＳ６→Ｓ９）。
【００４５】
また、前記操作メニュー画面Ｇ１にあって、「機能」キーＫ２がユーザＨにタッチ操作されると、図６、図７における機能メニュー処理へ移行される（ステップＳ７→ＳＡ）。
【００４６】
さらに、前記操作メニュー画面Ｇ１の表示状態にあって、前記制御キーＫ１および「機能」キーＫ２に対する何れのキー操作も行われないまま予め設定された一定時間が経過したと判断された場合には、当該表示部１２にて表示中である操作メニュー画面Ｇ１の表示は消去される（ステップＳ８→Ｓ１０）。
【００４７】
なお、この音楽再生処理での操作メニュー表示画面Ｇ１の表示処理では、図５で示したように、ユーザＨによるタッチ操作位置に対応した画面上の位置に表示されるので、制御キーＫ１および「機能」キーＫ２の操作を容易かつ速やかに行うことができる。
【００４８】
図６は、前記携帯オーディオ再生装置１０の音楽再生処理に伴う機能メニュー処理を示すフローチャートである。
【００４９】
図７は、前記携帯オーディオ再生装置１０の機能メニュー処理に伴いタッチパネル表示部１３に表示される機能メニュー表示画面Ｇ２を示す図である。
【００５０】
前記音楽再生処理（図４参照）での操作メニュー表示画面Ｇ１の表示状態にあって、「機能」キーＫ２がタッチ操作されることに応じて、図６における機能メニュー処理が起動されると（ステップＳ７→ＳＡ）、まず図７に示すように、機能メニュー表示画面Ｇ２が表示部１２に表示される（ステップＡ１）。
【００５１】
この機能メニュー表示画面Ｇ２では、再生方法の指定機能に設定するための「再生方法指定」ボタンＭ１、電圧低下時再生曲目の設定機能に設定するための「曲目設定」ボタンＭ２、電圧低下として判断すべき電池残量（低下電圧値）の指定機能に設定するための「電池残量」ボタンＭ３などが表示される。
【００５２】
前記機能メニュー表示画面Ｇ２において、「再生方法指定」ボタンＭ１がタッチ操作されると、例えば指定のアーティストやアルバムに応じて順番選曲して再生、ランダム選曲して再生、あるいは指定の曲目のみを選択して再生するなど、幾つかの再生方法の項目を指定するための再生方法指定画面（図示せず）が表示部１２に表示される（ステップＡ２→Ａ３）。
【００５３】
この再生方法指定画面において、ユーザ任意の再生方法が指定操作されるか変更操作されると、この指定または変更された再生方法のデータがＲＡＭ２４ａ内の再生方法データメモリ２４ａに記憶され（ステップＡ４）、当該再生方法に従った再生処理が実行される（ステップＳＡ→Ｓ２）。
【００５４】
図８は、前記携帯オーディオ再生装置１０の機能メニュー処理における曲目設定機能の設定に伴いタッチパネル表示部１３に表示される曲目設定画面Ｇ３を示す図である。
【００５５】
前記機能メニュー表示画面Ｇ２において、「曲目設定」ボタンＭ２がタッチ操作されると、ＲＡＭ２４内のＨＤＤ保存曲目データメモリ２４ｅに記憶されているＨＤＤ２５に記録された全ての曲目データがそれぞれそのアーティスト名、アルバム名、再生時間などの情報と共に読み出され表示部１２にリスト表示される（ステップＡ２→Ａ５）。
【００５６】
このＨＤＤ保存曲目データのリスト表示画面（図示せず）に基づいて、ユーザ設定される電圧低下時に再生したいユーザ所望の曲目が選択されて新規指定あるいは変更指定されると、この指定された電圧低下時の再生曲目データＬ１，Ｌ２，…は、例えば図８に示すような曲目設定画面Ｇ３として表示され、ＲＡＭ２４内の設定曲目データメモリ２４ｂに記憶される（ステップＡ６）。
【００５７】
また、前記機能メニュー表示画面Ｇ２において、「電池残量」ボタンＭ３がタッチ操作されると、電圧低下として判断すべき電池残量（低下電圧値）を指定するための電圧残量指定画面（図示せず）が表示され、この電圧残量指定画面において、例えば３段階で表示された電圧残量表示の中からユーザ任意の電圧残量段階を指定すると、この指定された電圧残量段階に対応した低電圧の電圧レベルデータがＲＡＭ２４内の低電圧データメモリ２４ｃに記憶される（ステップＡ２→Ａ７）。
【００５８】
図９は、前記携帯オーディオ再生装置１０の音楽再生に伴う電圧低下処理を示すフローチャートである。
【００５９】
前記図４における再生処理（ステップＳ２）での音楽再生の処理中において、電源部２７における電池電源の出力電圧が、ＲＡＭ２４内の低電圧データメモリ２４ｃに記憶された低電圧の電圧レベルまで低下したことが制御部（ＣＰＵ）２１により検出されると、図９における電圧低下処理が起動され、ＲＡＭ２４内の設定曲目データメモリ２４ｂにおいて予めユーザ指定された電圧低下時の再生曲目データが設定記憶されているか否か判断される（ステップＢ１）。
【００６０】
ここで、前記設定曲目データメモリ２４ｂにおいて電圧低下時の再生曲目データが設定記憶されていると判断されると、この設定された曲目の各楽曲データがＨＤＤ２５に記録されている各楽曲データの中から検索されて取り込まれ、ＲＡＭ１４内の再生曲データメモリ２４ｆに対して記憶される（ステップＢ１→Ｂ２）。
【００６１】
すると、ＨＤＤ２５の今後の駆動が一切停止されて電池電源の寿命の引き延ばしが図られた後（ステップＢ３）、前記ステップＢ２においてＨＤＤ２５からＲＡＭ２４内の再生曲データメモリ２４ｆに取り込まれて記憶された電圧低下時の再生曲目に対応する各楽曲データが、音声処理部２６に読み出されてアナログオーディオ信号に変換されイヤホン１５から再生出力される（ステップＢ４）。この場合、前記ＲＡＭ２４内の再生曲データメモリ２４ｆから読み出されて再生される各楽曲データは、電源部２７における電池電圧がその再生駆動に要する最低電圧レベル以下となるまで繰り返し読み出されて再生される。
【００６２】
これにより、電源部２７における電池残量が低下して電池交換の時期が近付いている状況では、電力消費の大きいＨＤＤ２５の駆動を要さずとも、ユーザは該ユーザ自身で設定した電圧低下時の曲目に対応する各楽曲データを繰り返し聞くことができるようになる。
【００６３】
一方、この電圧低下処理が起動された際に、ＲＡＭ２４内の設定曲目データメモリ２４ｂにおいて電圧低下時の再生曲目データが設定記憶されてないと判断された場合には（ステップＢ１（Ｎｏ））、ＨＤＤ２５の今後の駆動が一切停止されて電池電源の寿命の引き延ばしが図られた後（ステップＢ３）、現在ＲＡＭ２４内の再生曲データメモリ２４ｆに記憶され再生対象となっている各楽曲データが引き続き音声処理部２６に読み出されてアナログオーディオ信号に変換されイヤホン１５から再生出力される（ステップＢ４）。この場合も、前記ＲＡＭ２４内の再生曲データメモリ２４ｆから読み出されて再生される各楽曲データは、電源部２７における電池電圧がその再生駆動に要する最低電圧レベル以下となるまで繰り返し読み出されて再生される。
【００６４】
これにより、電源部２７における電池残量が低下して電池交換の時期が近付いている状況では、電力消費の大きいＨＤＤ２５の駆動を要さずとも、また電圧低下時の再生曲目を特に指定していなくとも、ユーザは該ユーザ自身で設定した再生方法に従って既にＲＡＭ２４内の再生曲データメモリ２４ｆに記憶されて再生対象となっている各楽曲データを繰り返し聞くことができる。
【００６５】
この後、電源部２７における電池電圧がオーディオ再生駆動に要する最低電圧レベル以下となるまで低下したことが検出されると、この携帯オーディオ再生装置１０の全動作が停止される。
【００６６】
したがって、前記構成の第１実施形態の携帯オーディオ再生装置１０によれば、ＲＡＭ２４内の低電圧データメモリ２４ｃに設定記憶された低電圧レベルまで、電源部２７における電池電源の電圧レベルが低下した場合には、設定曲目データメモリ２４ｂに対しユーザ任意で設定記憶された電圧低下時の再生曲目データに従って各対応する楽曲データがＨＤＤ２５から読み出されて再生曲データメモリ２４ｆに記憶される。そして当該ＨＤＤ２５のこの後の駆動が停止されると共に、電源電圧がオーディオ再生駆動に要する最低電圧レベル以下に低下するまで前記再生曲データメモリ２４ｆに記憶されたユーザ任意設定の再生曲目に従った各楽曲データが繰り返し読み出され音声処理部２６からイヤホン１５によって再生出力されるので、電源部２７における電池残量が低下して電池交換の時期が近付いている状況では、電力消費の大きいＨＤＤ２５の駆動を要さずに最大限電池寿命を引き延ばしながら、ユーザは該ユーザ自身で設定した電圧低下時の曲目に対応する各楽曲データを繰り返し聞くことができるようになる。
【００６７】
また、前記構成の第１実施形態の携帯オーディオ再生装置１０によれば、電圧低下時の再生曲目データがユーザ任意で設定されていない場合でも、ＨＤＤ２５のこの後の駆動は停止され、前記同様に電源電圧がオーディオ再生駆動に要する最低電圧レベル以下に低下するまで、ＲＡＭ２４内の再生曲データメモリ２４ｆにてユーザ任意で予め設定された再生方法に従い既に記憶されている各楽曲データが繰り返し読み出され音声処理部２６からイヤホン１５によって再生出力されるので、この場合でも、電力消費の大きいＨＤＤ２５の駆動を要さずに最大限電池寿命を引き延ばしながら、ユーザは該ユーザ自身で設定した再生方法に対応する一部の各楽曲データを繰り返し聞くことができるようになる。
【００６８】
また、前記構成の第１実施形態の携帯オーディオ再生装置１０によれば、ＲＡＭ２４内の低電圧データメモリ２４ｃに設定記憶された低電圧レベルまで、電源部２７における電池電源の電圧レベルが低下し電圧低下処理が起動されてはじめて、ユーザ任意で設定記憶された電圧低下時の再生曲目データに従った各対応する楽曲データがＨＤＤ２５から読み出されてＲＡＭ２４内の再生曲データメモリ２４ｆに記憶されるので、電圧低下時再生のための楽曲データを電源正常時から再生曲データメモリ２４ｆへ記憶させそのメモリエリアを無用に占有してしまうことなく、再生すべき楽曲データをＨＤＤ２５からＲＡＭ２４に読み出すためアクセス頻度を極力抑え、電池電源の長寿命化に寄与することができる。
【００６９】
なお、前記第１実施形態では、装置本体１１にあるＲＡＭ２４内の再生曲データメモリ２４ｆに再生対象の楽曲データをＨＤＤ２５から読み出して記憶させ、同装置本体１１の音声処理部２６に有線接続されたイヤホン１５によって再生出力する構成の携帯オーディオ再生装置１０の場合について説明したが、次の第２実施形態において説明するように、装置本体１１のＨＤＤ２５から読み出した再生対象の楽曲データをワイヤレス接続されたヘッドホン３０内のＲＡＭ３３に転送して記憶させ、当該ヘッドホン３０のスピーカ部３５によって再生出力する構成のワイヤレスヘッドホン付きの携帯オーディオ再生装置１０′であっても前記第１実施形態と同様の効果を発揮させることができる。
【００７０】
（第２実施形態）
図１０は、本発明の第２実施形態に係るワイヤレスヘッドホン付きのＨＤＤを搭載した携帯オーディオ再生装置１０′の外観構成を示す図である。
【００７１】
図１１は、前記第２実施形態の携帯オーディオ再生装置１０′の電子回路の構成を示すブロック図である。
【００７２】
この第２実施形態の携帯オーディオ再生装置１０′において、前記図１で示した第１実施形態の携帯オーディオ再生装置１０と同一の構成部分については、それと同一の符号を付してその説明を省略する。
【００７３】
この第２実施形態の携帯オーディオ再生装置１０′は、装置本体１１以外にワイヤレスヘッドホン３０を有し、装置本体１１の制御部（ＣＰＵ）２１には、前記第１実施形態同様の表示部１２、タッチパネル１３、外部ＩＦ部１７、ＲＯＭ２２、入力部２３、ＲＡＭ２４、ＨＤＤ２５が接続される他に、ワイヤレスヘッドホン３０と無線通信するための無線部２８が接続される。そして、これら装置本体１１の各回路部には充電池や乾電池による電池電源部２７から電源電圧が供給されて駆動される。
【００７４】
ワイヤレスヘッドホン３０は、当該ヘッドホンの回路各部の動作を制御するヘッドホン制御部（ＣＰＵ）３１を備え、このヘッドホン制御部（ＣＰＵ）３１には、ヘッドホン制御プログラムが予め記憶されるＲＯＭ３２、このヘッドホン回路の作業用メモリとして機能すると共に当該ヘッドホン３０にて再生する楽曲データのバッファとして機能するＲＡＭ３３、装置本体２８と無線通信するためのヘッドホン無線部３４、ＲＡＭ３３から読み出された楽曲データをアナログオーディオ信号に変換増幅して再生出力するスピーカ部３５が接続される。そして、これらワイヤレスヘッドホン３０の各回路部には充電池や乾電池による電池電源部３６から電源電圧が供給されて駆動される。
【００７５】
この第２実施形態の携帯オーディオ再生装置１０′において、前記図４〜図８で示した第１実施形態での音楽再生処理や機能メニュー処理は略同様に実施されるが、再生処理（ステップＳ２）、電池残量指定処理（ステップＡ７）は次のように行われる。
【００７６】
まず、再生処理（ステップＳ２）では、装置本体１１のＨＤＤ２５に記録されたオーディオデータはタッチパネル１３の操作に伴う楽曲内容の選択（再生方法）に応じて読み出され、当該装置本体１１の無線部２８からワイヤレスヘッドホン３０の無線部３４へ送信されてワイヤレスヘッドホン３０のＲＡＭ３３内の再生曲データメモリ（図示せず）に順次転送される。そして、このワイヤレスヘッドホン３０のＲＡＭ３３に読み出されて記憶されたオーディオデータが順次スピーカ部３５によってアナログオーディオ信号に変換増幅され音声出力される。
【００７７】
また、電池残量指定処理（ステップＡ７）では、装置本体１１におけるＲＡＭ２４内の低電圧データメモリ２４ｃに対して、ワイヤレスヘッドホン３０との無線通信が不能になる直前の電源電圧低下レベル（通信不能レベル）が設定記憶され、また、ワイヤレスヘッドホン３０におけるＲＡＭ３３内の低電圧データメモリ（図示せず）に対して、スピーカ部３５での音楽再生が不能になる直前の電源電圧レベル（再生不能レベル）、および装置本体１１との無線通信が不能になる直前の電源電圧レベル（通信不能レベル）が設定記憶される。
【００７８】
図１２は、前記第２実施形態のワイヤレスヘッドホン付き携帯オーディオ再生装置１０′による再生処理（ステップＳ２）の詳細を示すフローチャートであり、同図（Ａ）は装置本体１１側の再生処理を示すフローチャート、同図（Ｂ）はワイヤレスヘッドホン３０側の再生処理を示すフローチャートである。
【００７９】
まず、装置本体１１では、ＲＡＭ２４内の再生状態データメモリ２４ｄに記憶された直前の再生状態に伴う楽曲データとその再生時間や再生方法データメモリ２４ａに記憶された再生方法に基づく再生対象の曲目とその順番などに従って、ＨＤＤ２５に記録されている該当の楽曲データを読み出して無線部２８からワイヤレスヘッドホン３０に対して該ヘッドホンＲＡＭ３３内の再生曲データメモリ（図示せず）の空き容量に応じて順次送信転送するが（ステップＣ１）、ワイヤレスヘッドホン３０側での電源電圧低下に応じて再生停止通知信号が受信された否か（ステップＣ２）、または通信遮断通知信号が受信されたか否か（ステップＣ３）、または当該装置本体１１において電源電圧低下レベル（通信不能レベル）が検出されたか否か（ステップＣ４）、順次繰り返し判断される。
【００８０】
一方、ワイヤレスヘッドホン３０では、前記装置本体１１から順次送信されてくる楽曲データが無線部３４にて受信されると共にＲＡＭ３３内の再生曲データメモリ（図示せず）に記録され（ステップＤ１）、このＲＡＭ３３に記録された各楽曲データがその記録された順に読み出されてスピーカ部３５によって再生出力される（ステップＤ２）。
【００８１】
そして、この装置本体１１から転送されてくる楽曲データの受信・記録・再生処理中にあっては（ステップＤ１，Ｄ２）、ＲＡＭ３３内の低電圧データメモリ（図示せず）に設定記憶された再生不能直前の低電圧レベルが検出されたか否か（ステップＤ３）、または同ＲＡＭ３３内に設定記憶された通信不能直前の低電圧レベルが検出された否か（ステップＤ４）、または装置本体１１側での電源電圧低下に応じて通信遮断通知信号が受信された否か（ステップＤ５）、順次繰り返し判断される。
【００８２】
このように、装置本体１１のＨＤＤ２５から読み出されて順次送信される楽曲データがワイヤレスヘッドホン３０に受信・記録され順次再生処理されるワイヤレスヘッドホン付き携帯オーディオ再生装置１０′にあって、例えば装置本体１１の電源電圧が消耗して低下しワイヤレスヘッドホン３０との通信が不能になる直前の電源電圧低下レベル（通信不能レベル）が検出された場合には（ステップＣ４（Ｙｅｓ））、ＲＡＭ２４内の設定曲目データメモリ２４ｂにおいて予めユーザ指定された電圧低下時の再生曲目データが設定記憶されているか否か判断される（ステップＣ６）。
【００８３】
ここで、前記設定曲目データメモリ２４ｂにおいて電圧低下時の再生曲目データが設定記憶されていると判断されると、この設定された曲目の各楽曲データがＨＤＤ２５に記録されている各楽曲データの中から検索されて読み出され、無線部２８からワイヤレスヘッドホン３０へ送信されると共に（ステップＣ６→Ｃ７）、通信遮断を通知する信号が同ワイヤレスヘッドホン３０へ送信通知される（ステップＣ８）。
【００８４】
ワイヤレスヘッドホン３０において、前記装置本体１１から送信された本体電圧低下時設定曲目に従った各楽曲データが受信されると、この各楽曲データはＲＡＭ３３内に記録されスピーカ部３５によってその再生処理が開始された後（ステップＤ１，Ｄ２）、続いて装置本体１１から送信された通信遮断通知信号が受信されたと判断され（ステップＤ５（Ｙｅｓ））、装置本体１１との今後の通信処理が停止される（ステップＤ８）。
【００８５】
これにより、装置本体１１の電源部２７における電池残量が低下してワイヤレスヘッドホン３０との通信処理が不能に陥る状況では、ワイヤレスヘッドホン３０は電力消費の大きい装置本体１１との今後の通信処理を要さず電池寿命を引き延ばし、ユーザは該ユーザ自身で設定した本体電圧低下時の曲目に対応する各楽曲データを該ヘッドホン３０側の電池残量が低下して再生不能になるまで繰り返し聞くことができるようになる。
【００８６】
一方、ワイヤレスヘッドホン３０において、その電源電圧が消耗して低下し装置本体１１との通信が不能になる直前の電源電圧低下レベル（通信不能レベル）が検出された場合には（ステップＤ４（Ｙｅｓ））、通信遮断を通知する信号が無線部３４から装置本体１１へ送信通知され（ステップＤ７）、該装置本体１１との通信動作が停止される（ステップＤ８）。そして、ＲＡＭ３３内に現時点で記録されている各楽曲データがスピーカ部３５から繰り返し再生される（ステップＤ２）。
【００８７】
装置本体１１において、前記ワイヤレスヘッドホン３０から送信された通信遮断通知信号が受信されたと判断されると（ステップＣ３）、ＨＤＤ２５からの今後再生すべき楽曲データの読出し処理およびその送信処理は停止される（ステップＣ５）。
【００８８】
これにより、ワイヤレスヘッドホン３０では、その電源電圧の低下により装置本体１１との通信が不能になった後でも、ユーザは該ユーザ自身で設定した再生方法に従って既に装置本体１１から転送されＲＡＭ３３内に記憶されて再生対象となっている各楽曲データを繰り返し聞くことができるようになる。
【００８９】
また、ワイヤレスヘッドホン３０において、その電源電圧がさらに消耗して低下しオーディオ再生が不能になる電源電圧低下レベル（再生不能レベル）が検出された場合には（ステップＤ３（Ｙｅｓ））、再生停止を通知する信号が無線部３４から装置本体１１へ送信通知され、その再生動作が停止される（ステップＤ６）。
【００９０】
装置本体１１において、前記ワイヤレスヘッドホン３０から送信された再生停止通知信号が受信されたと判断されると（ステップＣ２）、ＨＤＤ２５からの今後再生すべき楽曲データの読出し処理およびその送信処理は停止される（ステップＣ５）。
【００９１】
したがって、前記構成の第２実施形態のワイヤレスヘッドホン付き携帯オーディオ再生装置１０′によれば、装置本体１１のＨＤＤ２５に記録されている多数の楽曲データの中からユーザ所望の再生方法に従った各楽曲データが順次読み出されてワイヤレスヘッドホン３０へ送信され、該ヘッドホン３０にて受信された各楽曲データがＲＡＭ３３に記録されながらスピーカ部３５によって順次再生出力される状態で、装置本体１１の電源電圧が低下してワイヤレスヘッドホン３０との通信が不能になる場合には、ユーザ任意で設定された電圧低下時の再生曲目データに従って各対応する楽曲データがＨＤＤ２５から読み出され通信遮断通知信号と共にワイヤレスヘッドホン３０へ送信される。そして、ワイヤレスヘッドホン３０側では、装置本体１１との通信を停止する一方で、該装置本体１１より最後に受信されＲＡＭ３３に記録された電圧低下時再生用の各楽曲データが繰り返し再生出力されるので、ユーザは該ユーザ自身で設定した本体電圧低下時の曲目に対応する各楽曲データを該ヘッドホン３０側の電池残量が低下して再生不能になるまで繰り返し聞くことができるようになる。
【００９２】
また、前記構成の第２実施形態のワイヤレスヘッドホン付き携帯オーディオ再生装置１０′によれば、ワイヤレスヘッドホン３０の電源電圧が低下して装置本体１１との通信が不能になる場合には、通信遮断通知信号が装置本体１１へ送信されて当該装置本体１１との通信動作が停止され電力消費が抑制された後、現状においてＲＡＭ３３内に既に記録されているユーザ任意の再生方法に従い装置本体１１より転送された各楽曲データが繰り返し読み出されスピーカ部３５によって再生出力されるので、この場合でも、電力消費の大きい通信動作を要さずに最大限電池寿命を引き延ばしながら、ユーザは該ユーザ自身で設定した再生方法に対応する一部の各楽曲データを繰り返し聞くことができるようになる。
【００９３】
なお、前記各実施形態において記載したオーディオ再生装置による各処理の手法、すなわち、図４および図６のフローチャートに示す音楽再生処理およびこれに伴う機能メニュー処理、図９のフローチャートに示す第１実施形態の再生処理の際の電圧低下処理、図１２のフローチャートに示す第２実施形態の再生処理に伴う装置本体側処理およびヘッドホン側処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体に格納して配布することができる。そして、オーディオ再生装置１０（１０′）は、この外部記録媒体に記憶されたプログラムを外部のパーソナルコンピュータで読み出すと共に外部ＩＦ１７（および無線部２８，３４）を介して内蔵の記憶装置（２２，２４，２５（３２，３３））に読み込み、この読み込んだプログラムによって動作が制御されることにより、前記各実施形態において説明した電池電圧低下時のオーディオ再生機能を実現し、前述した手法による同様の処理を実行することができる。
【００９４】
また、前記各手法を実現するためのプログラムのデータは、プログラムコードの形態として通信ネットワーク（インターネット）上を伝送させることができ、オーディオ再生装置１０（１０′）は、この通信ネットワーク（インターネット）に接続されたコンピュータ端末（プログラムサーバ）から外部のパーソナルコンピュータおよび外部ＩＦ１７（および無線部２８，３４）を介して前記のプログラムデータを取り込み、前述した電池電圧低下時のオーディオ再生機能を実現することもできる。
【００９５】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００９６】
【図１】本発明の第１実施形態に係るＨＤＤを搭載した携帯オーディオ再生装置１０の外観構成を示す正面図。
【図２】前記携帯オーディオ再生装置１０の電子回路の構成を示すブロック図。
【図３】前記携帯オーディオ再生装置１０のＲＡＭ２４に記憶されるデータの内容を示す図。
【図４】前記携帯オーディオ再生装置１０の音楽再生処理を示すフローチャート。
【図５】前記携帯オーディオ再生装置１０の音楽再生処理に伴いタッチパネル表示部１３に表示される操作メニュー表示画面Ｇ１を示す図。
【図６】前記携帯オーディオ再生装置１０の音楽再生処理に伴う機能メニュー処理を示すフローチャート。
【図７】前記携帯オーディオ再生装置１０の機能メニュー処理に伴いタッチパネル表示部１３に表示される機能メニュー表示画面Ｇ２を示す図。
【図８】前記携帯オーディオ再生装置１０の機能メニュー処理における曲目設定機能の設定に伴いタッチパネル表示部１３に表示される曲目設定画面Ｇ３を示す図。
【図９】前記携帯オーディオ再生装置１０の音楽再生に伴う電圧低下処理を示すフローチャート。
【図１０】本発明の第２実施形態に係るワイヤレスヘッドホン付きのＨＤＤを搭載した携帯オーディオ再生装置１０′の外観構成を示す図。
【図１１】前記第２実施形態の携帯オーディオ再生装置１０′の電子回路の構成を示すブロック図。
【図１２】前記第２実施形態のワイヤレスヘッドホン付き携帯オーディオ再生装置１０′による再生処理（ステップＳ２）の詳細を示すフローチャートであり、同図（Ａ）は装置本体１１側の再生処理を示すフローチャート、同図（Ｂ）はワイヤレスヘッドホン３０側の再生処理を示すフローチャート。
【符号の説明】
【００９７】
１０  …ＨＤＤを搭載した携帯オーディオ再生装置
１０′…ワイヤレスヘッドホン付きのＨＤＤを搭載した携帯オーディオ再生装置
１１  …装置本体
１２  …表示部（ＬＣＤ）
１３  …タッチパネル
１４  …電源ボタン
１５  …イヤホン
１６  …ボリュームスイッチ
１７  …外部ＩＦ部
２１  …制御部（ＣＰＵ）
２２  …ＲＯＭ
２３  …入力部
２４  …ＲＡＭ
２４ａ…再生方法データメモリ
２４ｂ…設定曲目データメモリ
２４ｃ…低電圧データメモリ
２４ｄ…再生状態データメモリ
２４ｅ…ＨＤＤ保存曲目データメモリ
２４ｆ…再生曲データメモリ
２５  …ＨＤＤ
２６  …音声処理部
２７  …電源部
２８  …本体無線部
３０  …ワイヤレスヘッドホン
３１  …ヘッドホン制御部（ＣＰＵ）
３２  …ヘッドホンＲＯＭ
３３  …ヘッドホンＲＡＭ
３４  …ヘッドホン無線部
３５  …スピーカ部
３６  …ヘッドホン電源部
Ｇ１  …操作メニュー表示画面
Ｇ２  …機能メニュー表示画面
Ｇ３  …曲目設定画面
Ｈ  …ユーザ
Ｋ１…制御キー
Ｋ２…「機能」キー
Ｍ１…「再生方法指定」ボタン
Ｍ２…「曲目設定」ボタン
Ｍ３…「電池残量」ボタン
Ｌ１，Ｌ２，…電圧低下時の再生曲目データ
【図１】
2006120267.tif 000003
【図２】
2006120267.tif 000004
【図３】
2006120267.tif 000005
【図４】
2006120267.tif 000006
【図５】
2006120267.tif 000007
【図６】
2006120267.tif 000008
【図７】
2006120267.tif 000009
【図８】
2006120267.tif 000010
【図９】
2006120267.tif 000011
【図１０】
2006120267.tif 000012
【図１１】
2006120267.tif 000013
【図１２】
2006120267.tif 000014